(57)【要約】【課題】医療用の記入書類の電子化を好適に実行することが可能な情報生成装置、電子ペンシステム、及びプログラムを提供する。【解決手段】端末装置３は、電子ペン１から受信した記入情報に基づき、途切れストロークの内側の端点の位置を認識することで、添付紙６がカルテ用紙５に貼り付けられた位置を認識する。また、端末装置３は、電子ペン１から受信した記入情報に基づき、検査項目指定欄２１が選択されたことを認識し、選択された検査項目指定欄２１に対応する検査項目の検査データをサーバ装置７から取得する。これにより、端末装置３は、添付紙６が貼り付けられたカルテ用紙５の電子データを生成し、ディスプレイ３０に表示する。【選択図】図１
2014191761.tif 000002
【特許請求の範囲】
【請求項１】
コード化パターンが印刷された医療用の記入書類の電子データを生成する情報生成装置であって、
電子ペンが前記コード化パターンを読み取ることで生成した記入情報を受信する受信手段と、
前記受信手段が受信した記入情報に基づき、コード化パターンが印刷されていない添付紙が前記記入書類に貼り付けられた位置を認識する貼付位置認識手段と、
前記受信手段が受信した記入情報に基づき、前記添付紙の内容を認識する貼付内容認識手段と、
前記貼付位置認識手段が認識した位置と、前記貼付内容認識手段が認識した前記添付紙の内容とに基づき、前記添付紙が貼り付けられた状態の前記記入書類の電子データを生成するデータ生成手段と、
を有することを特徴とする情報生成装置。
【請求項２】
前記貼付位置認識手段は、前記記入情報に基づき、前記記入書類に貼り付けられた前記添付紙を横切るストロークであって、前記添付紙の部分が途切れたストロークの組を認識し、当該ストロークの組の内側の端点の位置に基づき、前記添付紙が前記記入書類に貼り付けられた範囲を認識することを特徴とする請求項１に記載の情報生成装置。
【請求項３】
前記添付紙を横切るストロークは、前記記入書類に貼り付けられた前記添付紙の四隅をそれぞれ横切る４つのストロークであることを特徴とする請求項２に記載の情報生成装置。
【請求項４】
前記貼付位置認識手段は、前記添付紙の部分が途切れたストロークの記入間隔が所定時間以内の場合に、前記記入書類に貼り付けられた前記添付紙を横切るストロークが記入されたと認識することを特徴とする請求項２または３に記載の情報生成装置。
【請求項５】
前記貼付位置認識手段は、前記記入情報に含まれる前記電子ペンの識別情報に基づき、前記記入書類に貼り付けられた前記添付紙を横切るストロークが記入されたか否かを判定することを特徴とする請求項２乃至４のいずれか一項に記載の情報生成装置。
【請求項６】
前記貼付位置認識手段は、前記記入情報に基づき、前記記入書類に設けられた所定欄が選択されたと判断した場合に、当該所定欄が選択された前後の所定時間内に生成された記入情報に基づくストロークを、前記添付紙の部分が途切れたストロークであると認識することを特徴とする請求項２乃至５のいずれか一項に記載の情報生成装置。
【請求項７】
前記添付紙の用紙サイズの情報を取得する取得手段をさらに有し、
前記貼付位置認識手段は、前記用紙サイズの情報と、前記端点の位置とに基づき、前記添付紙が前記記入書類に貼り付けられた範囲を認識することを特徴とする請求項２乃至６のいずれか一項に記載の情報生成装置。
【請求項８】
前記貼付位置認識手段は、前記記入情報に基づき、所定のマークが前記記入書類上に記入されたと判断した場合、当該マークの位置が、前記添付紙が貼り付けられた位置であると認識することを特徴とする請求項１乃至７のいずれか一項に記載の情報生成装置。
【請求項９】
前記添付紙に印刷する検査データを記憶するサーバ装置と通信を行う通信手段をさらに有し、
前記貼付内容認識手段は、前記記入情報に基づき前記添付紙に印刷された検査データが示す検査項目を認識し、当該検査項目に該当する検査データを、前記サーバ装置から取得することを特徴とする請求項１乃至８のいずれか一項に記載の情報生成装置。
【請求項１０】
前記記入書類には、各検査項目に対応する検査項目指定欄が設けられ、
前記貼付内容認識手段は、前記記入情報に基づき前記検査項目指定欄が選択されたと判断した場合、選択された検査項目指定欄に対応する検査項目が、前記添付紙に印刷された検査データが示す検査項目であると認識することを特徴とする請求項９に記載の情報生成装置。
【請求項１１】
検査項目ごとに対応するマークを記憶する記憶手段をさらに備え、
前記貼付内容認識手段は、前記マークが前記記入書類上に記入されたと判断した場合、当該マークが示す検査項目が、前記添付紙に印刷された検査データが示す検査項目であると認識することを特徴とする請求項９または１０に記載の情報生成装置。
【請求項１２】
電子ペンと、
コード化パターンが印刷された医療用の記入書類と、
前記電子ペンが前記記入書類に印刷されたコード化パターンを読み取ることで生成した記入情報に基づき、コード化パターンが印刷されていない添付紙が貼り付けられた前記記入書類の電子データを生成する請求項１乃至１１のいずれか一項に記載の情報生成装置と、
を有することを特徴とする電子ペンシステム。
【請求項１３】
前記添付紙に印刷する検査データを記憶するサーバ装置をさらに有し、
前記情報生成装置の前記貼付内容認識手段は、前記記入情報に基づき前記添付紙に印刷された検査データが示す検査項目を認識し、当該検査項目に該当する検査データを前記サーバ装置から取得することを特徴とする請求項１２に記載の電子ペンシステム。
【請求項１４】
コード化パターンが印刷された医療用の記入書類の電子データを生成する情報生成装置が実行するプログラムであって、
電子ペンが前記コード化パターンを読み取ることで生成した記入情報を受信する受信手段と、
前記受信手段が受信した記入情報に基づき、コード化パターンが印刷されていない添付紙が前記記入書類に貼り付けられた位置を認識する貼付位置認識手段と、
前記受信手段が受信した記入情報に基づき、前記添付紙の内容を認識する貼付内容認識手段と、
前記貼付位置認識手段が認識した位置と、前記貼付内容認識手段が認識した前記添付紙の内容とに基づき、前記添付紙が貼り付けられた状態の前記記入書類の電子データを生成するデータ生成手段
として前記情報生成装置を機能させることを特徴とするプログラム。
【発明の詳細な説明】
【技術分野】
【０００１】
本発明は、電子データの生成技術に関する。
【背景技術】
【０００２】
医療業界において、電子カルテシステムの導入が進んでいる。例えば、特許文献１には、ドットパターンが印刷されたカルテ用紙へ電子ペンで記入することにより、電子カルテを生成する技術が開示されている。さらに、特許文献１には、ドットパターンが印刷されたカルテ用紙に、ドットパターンが印刷された付箋紙を貼り付ける際の電子カルテの生成方法が開示されている。
【先行技術文献】
【特許文献】
【０００３】
【特許文献１】特開２００７−３３４５０９号公報
【発明の概要】
【発明が解決しようとする課題】
【０００４】
特許文献１によれば、付箋紙を貼り付けた状態のカルテ用紙を電子化するためには、付箋紙にドットパターンが印刷されている必要がある。従って、例えば、ドットパターンが印刷された付箋紙を出力できないような検査装置から出力される添付紙をカルテ用紙に貼り付けた場合には、電子カルテを適切に生成することができない。そこで、本発明は、医療用の記入書類の電子化を好適に実行することが可能な情報生成装置、電子ペンシステム、及びプログラムを提供することを主な目的とする。
【課題を解決するための手段】
【０００５】
本発明の１つの観点では、コード化パターンが印刷された医療用の記入書類の電子データを生成する情報生成装置であって、電子ペンが前記コード化パターンを読み取ることで生成した記入情報を受信する受信手段と、前記受信手段が受信した記入情報に基づき、コード化パターンが印刷されていない添付紙が前記記入書類に貼り付けられた位置を認識する貼付位置認識手段と、前記受信手段が受信した記入情報に基づき、前記添付紙の内容を認識する貼付内容認識手段と、前記貼付位置認識手段が認識した位置と、前記貼付内容認識手段が認識した前記添付紙の内容とに基づき、前記添付紙が貼り付けられた状態の前記記入書類の電子データを生成するデータ生成手段と、を有する。
【０００６】
上記の情報生成装置は、コード化パターンが印刷された医療用の記入書類の電子データを生成する。このとき、情報生成装置は、電子ペンから受信した記入情報に基づき、コード化パターンが印刷されていない添付紙が記入書類に貼り付けられた位置を認識すると共に、貼り付けられた添付紙の内容を認識する。これにより、情報処理装置は、コード化パターンが印刷されていない添付紙が貼り付けられた医療用の記入書類の電子化を行う。
【０００７】
上記情報生成装置の一態様では、前記貼付位置認識手段は、前記記入情報に基づき、前記記入書類に貼り付けられた前記添付紙を横切るストロークであって、前記添付紙の部分が途切れたストロークの組を認識し、当該ストロークの組の内側の端点の位置に基づき、前記添付紙が前記記入書類に貼り付けられた範囲を認識する。
【０００８】
上記情報生成装置の他の一態様では、前記添付紙を横切るストロークは、前記記入書類に貼り付けられた前記添付紙の四隅をそれぞれ横切る４つのストロークである。
【０００９】
上記情報生成装置の他の一態様では、前記貼付位置認識手段は、前記添付紙の部分が途切れたストロークの記入間隔が所定時間以内の場合に、前記記入書類に貼り付けられた前記添付紙を横切るストロークが記入されたと認識する。
【００１０】
上記情報生成装置の他の一態様では、前記貼付位置認識手段は、前記記入情報に含まれる前記電子ペンの識別情報に基づき、前記記入書類に貼り付けられた前記添付紙を横切るストロークが記入されたか否かを判定する。
【００１１】
上記情報生成装置の他の一態様では、前記貼付位置認識手段は、前記記入情報に基づき、前記記入書類に設けられた所定欄が選択されたと判断した場合に、当該所定欄が選択された前後の所定時間内に生成された記入情報に基づくストロークを、前記添付紙の部分が途切れたストロークであると認識する。
【００１２】
上記情報生成装置の他の一態様では、前記添付紙の用紙サイズの情報を取得する取得手段をさらに有し、前記貼付位置認識手段は、前記用紙サイズの情報と、前記端点の位置とに基づき、前記添付紙が前記記入書類に貼り付けられた範囲を認識する。
【００１３】
上記情報生成装置の他の一態様では、前記貼付位置認識手段は、前記記入情報に基づき、所定のマークが前記記入書類上に記入されたと判断した場合、当該マークの位置が、前記添付紙が貼り付けられた位置であると認識する。
【００１４】
上記情報生成装置の他の一態様では、前記添付紙に印刷する検査データを記憶するサーバ装置と通信を行う通信手段をさらに有し、前記貼付内容認識手段は、前記記入情報に基づき前記添付紙に印刷された検査データが示す検査項目を認識し、当該検査項目に該当する検査データを、前記サーバ装置から取得する。
【００１５】
上記情報生成装置の他の一態様では、前記記入書類には、各検査項目に対応する検査項目指定欄が設けられ、前記貼付内容認識手段は、前記記入情報に基づき前記検査項目指定欄が選択されたと判断した場合、選択された検査項目指定欄に対応する検査項目が、前記添付紙に印刷された検査データが示す検査項目であると認識する。
【００１６】
上記情報生成装置の他の一態様では、検査項目ごとに対応するマークを記憶する記憶手段をさらに備え、前記貼付内容認識手段は、前記マークが前記記入書類上に記入されたと判断した場合、当該マークが示す検査項目が、前記添付紙に印刷された検査データが示す検査項目であると認識する。ここで、「マーク」とは、文字、図形、記号、及びこれらの結合を含む。
【００１７】
本発明の他の観点では、電子ペンシステムは、電子ペンと、コード化パターンが印刷された医療用の記入書類と、前記電子ペンが前記記入書類に印刷されたコード化パターンを読み取ることで生成した記入情報に基づき、コード化パターンが印刷されていない添付紙は貼り付けられた前記記入書類の電子データを生成する上記いずれかに記載の情報生成装置と、を有する。
【００１８】
上記電子ペンシステムの一態様では、前記添付紙に印刷する検査データを記憶するサーバ装置をさらに有し、前記情報生成装置の前記貼付内容認識手段は、前記記入情報に基づき前記添付紙に印刷された検査データが示す検査項目を認識し、当該検査項目に該当する検査データを前記サーバ装置から取得する。
【００１９】
本発明のさらに別の観点では、コード化パターンが印刷された医療用の記入書類の電子データを生成する情報生成装置が実行するプログラムであって、電子ペンが前記コード化パターンを読み取ることで生成した記入情報を受信する受信手段と、前記受信手段が受信した記入情報に基づき、コード化パターンが印刷されていない添付紙が前記記入書類に貼り付けられた位置を認識する貼付位置認識手段と、前記受信手段が受信した記入情報に基づき、前記添付紙の内容を認識する貼付内容認識手段と、前記貼付位置認識手段が認識した位置と、前記貼付内容認識手段が認識した前記添付紙の内容に基づき、前記添付紙が貼り付けられた状態の前記記入書類の電子データを生成するデータ生成手段として前記情報生成装置を機能させる。
【００２０】
上記のプログラムを情報生成装置にインストールして機能させることで、本発明に係る情報生成装置を構成させることができる。
【発明の効果】
【００２１】
本発明によれば、コード化パターンが印刷された医療用の記入書類に対し、使用者が電子ペンにより添付紙の位置及び内容を指定することで、情報処理装置は、記入書類に貼り付けられた添付紙の貼付位置及び内容を認識する。これにより、情報処理装置は、コード化パターンが印刷されていない添付紙が貼り付けられた医療用の記入書類を好適に電子化することができる。
【図面の簡単な説明】
【００２２】
【図１】本実施形態に係るカルテ表示システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】端末装置及びサーバ装置の機能ブロック図である。
【図６】座標定義情報のデータ構造を示す。
【図７】検査関連情報のデータ構造を示す。
【図８】添付紙が貼り付けられる前後のカルテ用紙の上面図を示す。
【図９】図８に対応するディスプレイの正面図を示す。
【図１０】カルテ用紙に貼り付けた添付紙の四隅をそれぞれ横切る４つのストロークを電子ペンによりカルテ用紙上に記入した直後のディスプレイの表示例である。
【図１１】位置指定マークが電子ペンにより記入された場合のカルテ用紙の上面図及びディスプレイの表示例を示す。
【図１２】検査項目指定マークが電子ペンにより記入された場合のカルテ用紙の上面図及びディスプレイの表示例を示す。
【発明を実施するための形態】
【００２３】
以下、図面を参照しながら、本発明の実施の形態について説明する。
【００２４】
［カルテ表示システムの構成］
図１は、本発明の実施形態に係るカルテ表示システム（電子ペンシステム）１００の構成を模式的に示す。カルテ表示システム１００は、病院などの医療機関に導入されるシステムであって、医師が使用する電子ペン１と、電子ペン１から記入情報を受信して処理する端末装置３と、ドットパターン（コード化パターン）が印刷されたカルテ用紙５と、ドットパターンが印刷されていない添付紙６と、添付紙６に印刷された検査データを記憶するサーバ装置７とを備える。
【００２５】
そして、カルテ表示システム１００は、医師が電子ペン１により診断に関する記入を行うカルテ用紙５を電子化した電子カルテを生成し、端末装置３のディスプレイ３０に表示する。このとき、カルテ表示システム１００は、カルテ用紙５に貼り付けられた添付紙６の貼付位置及び印刷内容を認識し、電子カルテに表示させる。以下、カルテ表示システム１００の各構成要素について説明する。
【００２６】
（カルテ用紙及び添付紙）
まず、カルテ用紙（医療用の記入書類）５について説明する。カルテ用紙５は、医師が診断を行う患者ごとに用意され、その略全面に後述する位置座標を示すドットパターン（コード化パターン）が印刷される。各カルテ用紙５には、それぞれ異なる座標範囲のドットパターンが印刷される。ドットパターンは、電子ペン１により読み取ることができるように赤外線を吸収するカーボンを含んだインクにより印刷され、その他の文字や図などは、赤外線を吸収しないインキにより印刷される。例えば、後述する図８に示すように、カルテ用紙５には、患者ＩＤや患者名などが赤外線を吸収しないインキにより印刷される。
【００２７】
添付紙６は、検査装置又は検査装置と接続するプリンタから出力され、カルテ用紙５に貼り付けられる。添付紙６には、検査結果に関する検査データが印刷され、ドットパターンは印刷されていない。
【００２８】
（ドットパターン）
まず、カルテ用紙５に印刷されたアノト方式のドットパターン（コード化パターン）について図２及び図３を用いて説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、カルテ用紙５上の位置座標が決定されるよう構成されている。なお、異なるカルテ用紙５同士では座標領域が重ならないようドットパターンが形成される。
【００２９】
図３（ａ）は、あるドットパターンの配列を示している。図３（ａ）に示すように、縦横約２ｍｍの範囲内に６×６個のドットが、カルテ用紙５上のどの部分から６×６ドットを取ってもユニークなパターンとなるように配置されている。これら３６個のドットにより形成されるドットパターンは位置座標（例えば、そのドットパターンがカルテ用紙５上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００３０】
（電子ペン）
次に、電子ペン１について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３をカルテ用紙５上に当接させて、ストローク（手書きストローク）を記入する。ここで、電子ペン１のペン先部１０３がカルテ用紙５に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００３１】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりカルテ用紙５に文字やマークを書いたりタップしたりする際にペン先部１０３からインクカートリッジ１０４を通じて与えられる圧力、即ち筆圧を検出し、その値をプロセッサ１０８へ伝送する。
【００３２】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１でカルテ用紙５に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報として端末装置３へ送信する。また、ユーザが１つのストロークを記入し終えて電子ペン１をカルテ用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として端末装置３へ送信する。
【００３３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、カルテ用紙５上のペン先部１０３近傍に向けて赤外線を照明する。その領域は、ペン先部１０３がカルテ用紙５に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、カルテ用紙５に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３４】
プロセッサ１０８は、ユーザの記入が行われる間、ＣＭＯＳカメラ１０６によって供給される画像データのドットパターンから、ユーザが記入するストローク（筆跡）のカルテ用紙５におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、カルテ用紙５における６×６のドットパターンは、カルテ用紙５内で重複することはないため、ユーザが電子ペン１で文字等を記入すると、記入された位置がカルテ用紙５のどの位置に当たるかを、プロセッサ１０８による座標演算により特定することができる。
【００３５】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として端末装置３へ送信する。この場合の通信ユニット１１１による端末装置３への送信は、Ｂｌｕｅｔｏｏｔｈ（登録商標）などの無線送信によって、即時的かつ逐次的に行われる。ここで、電子ペン１のペンダウンからペンアップまでの間に生成されて端末装置３に送信された１個又は複数個の座標属性情報は、端末装置３によりストローク情報として記憶される。換言すると、１つのストロークは、１個又は複数個のＸ、Ｙ座標（座標点）からなり、端末装置３は、ペンダウン情報及びペンアップ情報によって、１つのストロークを構成する１個又は複数個の座標属性情報を認識する。
【００３６】
（端末装置）
次に、端末装置（情報生成装置）３について説明する。端末装置３は、ハードウェアとして、電子ペン１とのデータ通信が可能なアンテナ装置、ＣＰＵ等のプロセッサ、ＲＯＭやＲＡＭといったメモリ、ディスプレイ３０、マウスやキーボード等で構成される。例えば、端末装置３は、ＰＣ（パーソナルコンピュータ）である。
【００３７】
図５は、端末装置３及びサーバ装置７の機能ブロック図である。端末装置３は、機能的には、マウスやキーボードといった入力手段３１、通信手段３２、記憶手段３３、処理手段３４、表示手段３６を備える。通信手段３２は、アンテナ受信回路等により構成され、電子ペン１から記入情報を受信し、受信した情報を処理手段３４に伝送する。このように、通信手段３２は、本発明における「受信手段」として機能する。また、通信手段３４は、処理手段３４の制御に基づき、サーバ装置７とデータの授受を行う。表示手段３６は、ディスプレイ３０等によって構成され、処理手段３４によって指示された内容を表示する。
【００３８】
処理手段３４は、ＣＰＵ等のプロセッサによって構成され、端末装置３の全体の制御を行う。処理手段３４は、カルテ用紙５が電子ペン１により記入されてドットパターンが読み取られた場合、電子ペン１により生成され送信されてきた記入情報に基づき、後述する座標定義情報を参照し、カルテ用紙５への筆跡を再現したストロークが描画された電子カルテをディスプレイ３０上に描画する。また、処理手段３４は、添付紙６をカルテ用紙５に貼り付ける前後に、医師がカルテ用紙５に電子ペン１により記入することで生成された記入情報に基づき、添付紙６の貼付位置及び添付紙６の印刷内容を認識する。これにより、処理手段３４は、添付紙６が貼り付けられたカルテ用紙５を示す電子カルテをディスプレイ３０上に描画する。電子カルテの生成及び表示方法については、［電子カルテの表示］のセクションで詳しく説明する。このように、処理手段３４は、本発明における「貼付位置認識手段」、「貼付内容認識手段」、及び「データ生成手段」として機能する。
【００３９】
記憶手段３３は、ＲＯＭやＲＡＭといったメモリによって構成され、処理手段３４が所定の処理を実行するのに必要なプログラムを記憶する。記憶手段３３は、処理手段３４の処理命令により、電子ペン１から受信した記入情報をペンＩＤ毎に記憶する。また、記憶手段３３は、各カルテ用紙５に対応するドットパターンが示す座標範囲の情報（「座標定義情報」とも呼ぶ。）３９を記憶する。
【００４０】
図６は、座標定義情報３９のデータ構造を示す。図６に示すように、座標定義情報３９には、カルテ用紙５ごとに、診断対象の患者名及び患者ＩＤと、当該カルテ用紙５に印刷されるドットパターンの座標範囲とが関連付けられている。なお、ここでは、ドットパターンの座標範囲は、角の位置座標（Ｘｎ，Ｙｎ）、高さ（Ｈｎ）、幅（Ｗｎ）で規定されている。このように、記憶手段３３は、カルテ用紙５ごとに、診断対象の患者の情報と、当該カルテ用紙５に印刷されるドットパターンの座標範囲とを関連付けて記憶する。これにより、処理手段３４は、受信した記入情報に基づき、当該座標定義情報３９を参照し、いずれの患者のカルテ用紙５に記入がされたかを認識すると共に、電子ペン１によりカルテ用紙５に記入された筆跡を再現したストロークをディスプレイ３０上に描画する。
【００４１】
さらに、記憶手段３３は、電子ペン１から送信された記入情報に基づき処理手段３４が生成してディスプレイ３０に表示させた電子カルテの情報を、例えば患者ＩＤごとに関連付けて記憶する。
【００４２】
（サーバ装置）
次に、サーバ装置７について、引き続き図５を参照して説明する。サーバ装置７は、ハードウェアとして、データ通信が可能な通信装置、ＣＰＵ等のプロセッサ、ＲＯＭやＲＡＭといったメモリなどを備え、図５に示すように、機能的には、通信手段７２、記憶手段７３、及び処理手段７４等により構成される。
【００４３】
記憶手段７３は、ＲＯＭやＲＡＭといったメモリによって構成される。記憶手段７３は、患者及び検査項目ごとに、検査装置が出力した検査データを関連付けた検査関連情報７９を記憶する。図７は、検査関連情報７９のデータ構造を示す。図７に示すように、検査関連情報７９には、実行された検査ごとに、検査を受けた患者ＩＤと、検査項目と、検査結果を示す検査データの格納場所と、検査日時とが関連付けられている。検査データは、例えば添付紙６に印刷された画像データである。なお、図７に示す検査項目の「血液検査Ａ」と、「血液検査Ｂ」とは、同一の検査装置による異なる検査内容の血液検査を示す。このように、検査関連情報７９の検査項目は、検査装置ごと、又は、同一の検査装置による検査内容ごとに分類されて記憶される。
【００４４】
処理手段７４は、ＣＰＵ等のプロセッサによって構成され、サーバ装置７の全体の制御を行う。処理手段７４は、患者ＩＤ及び検査項目を指定した検査データの要求信号（「要求信号Ｓｒ」とも呼ぶ。）を端末装置３から通信手段７２が受信した場合に、指定された検査データを通信手段７２により端末装置３へ送信する。また、処理手段７４は、図示しない各種検査装置から検査データを受信し、当該検査データを検査関連情報７９として記憶する。
【００４５】
［電子カルテの表示］
次に、カルテ用紙５を電子化した電子カルテの生成及び表示処理について説明する。以下では、まず、電子カルテの生成及び表示処理の概要を説明した後、添付紙６の貼り付け位置の特定方法、及び、添付紙６に印刷された検査データの特定方法について詳細に説明する。
【００４６】
（１）処理概要
図８（Ａ）は、添付紙６が貼り付けられる前のカルテ用紙５の上面図を示す。図８（Ｂ）は、添付紙６が貼り付けられ、かつ、添付紙６の貼付位置を特定するための電子ペン１の記入が行われた後のカルテ用紙５の上面図を示す。図８（Ｃ）は、添付紙６の印刷内容を特定するための電子ペン１の記入が行われた後のカルテ用紙５の上面図を示す。また、図９（Ａ）〜（Ｃ）は、それぞれ、図８（Ａ）〜（Ｃ）に対応するディスプレイ３０の正面図を示す。なお、図８の例では、カルテ用紙５には、患者ＩＤ、患者名、日付と共に、後述する検査項目指定欄２１（２１Ａ、２１Ｂ、…）が予め印刷されている。
【００４７】
まず、添付紙６が貼り付けられる前について、図８（Ａ）及び図９（Ａ）を参照して説明する。この場合、端末装置３の処理手段３４は、電子ペン１から送信される記入情報に基づき、座標定義情報３９を参照し、カルテ用紙５への筆跡を再現したストロークが描画された電子カルテ５ａをディスプレイ３０上に描画する。また、この場合、処理手段３４は、記入情報に基づき、座標定義情報３９を参照し、カルテ用紙５に診察内容が記入される対象となる患者名や患者ＩＤなどを認識し、カルテ用紙５に予め印刷される患者ＩＤや氏名等を電子カルテ５ａに表示させる。
【００４８】
次に、添付紙６が貼り付けられた場合について、図８（Ｂ）及び図９（Ｂ）を参照して説明する。図８（Ｂ）の例では、電子ペン１を使用する医師は、添付紙６をカルテ用紙５に貼り付けた後、当該添付紙６の角を横切るストローク（単に「横切りストローク」とも呼ぶ。）を、電子ペン１によりカルテ用紙５上に記入している。この場合、図９（Ｂ）に示すように、端末装置３の処理手段３４は、電子ペン１から受信した記入情報に基づき、添付紙６上に記入された部分が途切れた横切りストローク（「途切れストローク」とも呼ぶ。）を電子カルテ５ａ上に再現表示する。図９（Ｂ）の例では、処理手段３４は、添付紙６の四隅に記入された４つの横切りストロークに対し、それぞれ、ストロークＳａ１〜Ｓａ２、Ｓｂ１〜Ｓｂ２、Ｓｃ１〜Ｓｃ２、Ｓｄ１〜Ｓｄ２を電子カルテ５ａに表示している。また、この場合、処理手段３４は、各途切れストロークを、添付紙６の貼付位置を特定するためのストロークであると認識し、各途切れストロークの位置に基づき、添付紙６が貼り付けられた範囲（「貼付領域Ｒｔａｇ」とも呼ぶ。）を認識する。貼付領域Ｒｔａｇの具体的な認識方法については後述する。
【００４９】
次に、添付紙６に対応する検査項目を指定する場合について、図８（Ｃ）及び図９（Ｃ）を参照して説明する。この場合、図８（Ｃ）に示すように、医師は、貼り付けた添付紙６に対応する検査項目（ここでは超音波検査）に対応する「超」と表示された検査項目指定欄２１Ａ上に、電子ペン１によりチェックマークを記入する。この場合、処理手段３４は、電子ペン１から受信した記入情報に基づき、座標定義情報３９を参照し、検査項目指定欄２１Ａが印刷された部分に記入が行われたこと及び対応する検査項目を認識する。なお、この場合、記憶手段３３は、各検査項目指定欄２１が印刷されるドットパターンの座標範囲と、当該検査項目指定欄２１に対応する検査項目とを関連付けた情報を予め記憶しておく。そして、添付紙６に対応する検査項目の認識後、処理手段３４は、認識した検査項目及び患者ＩＤを指定した要求信号Ｓｒをサーバ装置７に送信することで、サーバ装置７から添付紙６に印刷された検査結果を示す検査データを受信する。そして、図９（Ｃ）に示すように、処理手段３４は、受信した検査データに基づき、貼付領域Ｒｔａｇ内に検査結果を表示する。これにより、処理手段３４は、添付紙６が貼り付けられた後の状態を示すカルテ用紙５を電子化した電子カルテ５ａを、ディスプレイ３０に好適に表示させることができる。
【００５０】
なお、上述の例に代えて、医師は、検査項目指定欄２１Ａを電子ペン１により選択した後、貼付領域Ｒｔａｇを特定するための横切りストロークを電子ペン１により記入してもよい。この場合、処理手段３４は、まず、添付紙６に印刷された検査結果を示す検査データをサーバ装置７から受信する。その後、処理手段３４は、電子ペン１により横切りストロークが記入された場合に、記入情報に基づき貼付領域Ｒｔａｇを認識し、当該貼付領域Ｒｔａｇにサーバ装置７から受信した検査データを表示する。
【００５１】
（２）貼付領域の認識方法
次に、貼付領域Ｒｔａｇの認識方法について、図１０（Ａ）、（Ｂ）を参照して説明する。図１０（Ａ）は、横切りストロークを電子ペン１によりカルテ用紙５上に記入した直後のディスプレイ３０の表示例である。この場合、処理手段３４は、電子ペン１から受信した記入情報に基づき、ストロークＳａ１〜Ｓａ２、Ｓｂ１〜Ｓｂ２、Ｓｃ１〜Ｓｃ２、Ｓｄ１〜Ｓｄ２を電子カルテ５ａ上に表示する。
【００５２】
この場合、まず、処理手段３４は、ストロークＳａ１〜Ｓａ２が直線形状であること等に基づき、ストロークＳａ１〜Ｓａ２の組が電子ペン１に記入された横切りストロークが添付紙６の部分で分断された途切れストロークの組であることを認識する。同様に、処理手段３４は、ストロークＳｂ１〜Ｓｂ２の組、ストロークＳｃ１〜Ｓｃ２の組、及びストロークＳｄ１〜Ｓｄ２の組が途切れストロークの組であることを認識する。
【００５３】
次に、処理手段３４は、各途切れストロークの組の内側の端点、即ち互いに最も近い端点を、矩形の添付紙６の縁部分であると認識する。具体的には、処理手段３４は、ストロークＳａ１〜Ｓａ２の内側の端点Ａ１〜Ａ２、ストロークＳｂ１〜Ｓｂ２の内側の端点Ｂ１〜Ｂ２、ストロークＳｃ１〜Ｓｃ２の内側の端点Ｃ１〜Ｃ２、ストロークＳｄ１〜Ｓｄ２の内側の端点Ｄ１〜Ｄ２を、それぞれ添付紙６の縁部分であると認識する。
【００５４】
そして、処理手段３４は、各端点Ａ１〜Ａ２、Ｂ１〜Ｂ２、Ｃ１〜Ｃ２、Ｄ１〜Ｄ２を通る矩形領域を、貼付領域Ｒｔａｇであると認識する。図１０（Ｂ）は、各端点Ａ１〜Ａ２、Ｂ１〜Ｂ２、Ｃ１〜Ｃ２、Ｄ１〜Ｄ２に基づく貼付領域Ｒｔａｇを仮想的に示したディスプレイ３０の表示例である。例えば、処理手段３４は、添付紙６の各辺がディスプレイ３０の縦方向又は横方向に略平行になることから、端点Ａ１、Ｃ１を通る辺、端点Ａ２、Ｂ１を通る辺、端点Ｂ２、Ｄ２を通る辺、及び端点Ｃ２、Ｄ１を通る辺からなる貼付領域Ｒｔａｇを認識する。
【００５５】
このように、処理手段３４は、電子ペン１により横切りストロークが４つ記入されることで、添付紙６４の各辺を特定する位置を一辺につき２点以上認識することができる。従って、処理手段３４は、貼付領域Ｒｔａｇを好適に認識することができる。一方、処理手段３４は、認識した途切れストロークの組が４つ未満の場合には、これらのストロークを、貼付領域Ｒｔａｇを特定するためのストロークではないと判断し、貼付領域Ｒｔａｇの認識処理を行わない。
【００５６】
好適には、処理手段３４は、貼付領域Ｒｔａｇの認識精度を向上させるため、以下に述べる第１の例〜第５の例を、任意に組み合わせて上述の処理に適用してもよい。
【００５７】
第１の例では、処理手段３４は、貼付領域Ｒｔａｇを指定するための電子ペン１による記入時間を、所定時間（例えば５秒）以内に制限する。図１０の例では、処理手段３４は、各ストロークＳａ１〜Ｓａ２、Ｓｂ１〜Ｓｂ２、Ｓｃ１〜Ｓｃ２、Ｓｄ１〜Ｓｄ２の記入情報に含まれる時刻情報に基づき、これらのストロークが所定時間以内に記入されたか否か判定する。そして、処理手段３４は、これらのストロークが所定時間以内に記入されていないと判断した場合には、これらのストロークが貼付領域Ｒｔａｇを指定するためのストロークではないと判断する。
【００５８】
第２の例では、処理手段３４は、２つのストロークが途切れストロークの組であるか否か判定する場合に、これらのストロークの記入間隔が所定時間（例えば１秒）以内であることを必要条件とする。図１０の例では、処理手段３４は、ストロークＳａ１の記入情報に含まれる時刻情報が示す最も遅い時刻と、ストロークＳａ２の記入情報に含まれる時刻情報が示す最も早い時刻との差が所定時間以内である場合に、ストロークＳａ１〜Ｓａ２が途切れストロークの組であると認識する。ストロークＳｂ１〜Ｓｂ２、Ｓｃ１〜Ｓｃ２、Ｓｄ１〜Ｓｄ２についても同様に、処理手段３４は、これらのストロークの記入間隔が所定時間以内の場合に、途切れストロークの組であると判定する。
【００５９】
第３の例では、処理手段３４は、貼付領域Ｒｔａｇを指定するストロークを記入する前又は／及び後に、カルテ用紙５上の所定の指定欄（「位置指定開始欄」とも呼ぶ。）が電子ペン１により選択されたか否かに基づき、各途切れストロークを認識する。例えば、処理手段３４は、記入情報に基づき、カルテ用紙５上の位置指定開始欄が電子ペン１により選択されたことを検知した場合、その前又は／及び後に受信した記入情報に基づくストロークを、各途切れストロークの候補として認識する。
【００６０】
なお、第３の例において、位置指定開始欄の機能を、検査項目指定欄２１が有してもよい。この場合、図１０の例では、医師は、検査項目指定欄２１Ａを電子ペン１により選択する前又は／及び後に、貼付領域Ｒｔａｇを指定するためのストロークを電子ペン１により記入する。
【００６１】
また、好適には、第３の例において、処理手段３４は、位置指定開始欄への記入と、横切りストロークの記入との時間差に制限を設けるとよい。具体的には、処理手段３４は、位置指定開始欄が電子ペン１により選択されたことを検知した前又は／及び後の所定時間（例えば５秒）内に生成された記入情報に基づくストロークを、各途切れストロークの候補として認識する。一方、位置指定開始欄が電子ペン１により選択されたことを検知した時から所定時間以上離れた時刻に生成された記入情報に基づくストロークを、途切れストロークでないと認識する。
【００６２】
第４の例では、処理手段３４は、記入情報に含まれるペンＩＤに基づき、貼付領域Ｒｔａｇを指定するための横切りストロークが記入されたか否かを判定する。この場合、横切りストロークを記入するための電子ペン１が、カルテ用紙５上に診断内容等を記入するための電子ペン１とは別に用意され、記憶手段３３は、これらの電子ペン１のペンＩＤを予め記憶しておく。そして、処理手段３４は、受信した記入情報に含まれるペンＩＤが横切りストロークを記入するための電子ペン１のペンＩＤである場合には、当該記入情報に基づくストロークを、各途切れストロークの候補として認識する。
【００６３】
第５の例では、処理手段３４は、添付紙６の用紙サイズの情報に基づき、貼付領域Ｒｔａｇを認識する。例えば、この場合、サーバ装置７は、検査項目ごとの添付紙６の用紙サイズの情報をさらに検査関連情報７９として記憶し、端末装置３から要求信号Ｓｒを受信した場合に、指定された検査項目に対応する検査データと共に添付紙６の用紙サイズの情報を端末装置３に送信する。そして、端末装置３は、サーバ装置７から受信した用紙サイズが、各端点Ａ１〜Ａ２、Ｂ１〜Ｂ２、Ｃ１〜Ｃ２、Ｄ１〜Ｄ２から認識した矩形領域の大きさと略一致する場合に、当該矩形領域を貼付領域Ｒｔａｇとして認識する。一方、端末装置３は、サーバ装置７から受信した用紙サイズが、認識した矩形領域の大きさと略一致しない場合に、当該矩形領域は貼付領域Ｒｔａｇでないと認識する。
【００６４】
なお、第５の例の場合、横切りストロークは、４本より少なくともよい。例えば、添付紙６に横切りストロークが２本記入された場合、処理手段３４は、当該横切りストロークの記入により認識した２組の途切れストロークの各内側の端点と、添付紙６の用紙サイズの情報とに基づき、貼付領域Ｒｔａｇを認識する。
【００６５】
（３）検査項目の認識方法
次に、添付紙６に対応する検査項目の認識方法について、再び図８（Ｃ）及び図９（Ｃ）を参照して説明する。
【００６６】
「（１）処理概要」のセクションで述べたように、カルテ用紙５には、検査項目指定欄２１（２１Ａ、２１Ｂ、…）が予め印刷されている。また、記憶手段３３は、各検査項目指定欄２１が印刷されるドットパターンの座標範囲と、当該検査項目指定欄２１に対応する検査項目とを関連付けた情報を予め記憶しておく。
【００６７】
まず、処理手段３４は、記入情報から生成したストロークの位置が、いずれかの検査項目指定欄２１と重なる場合、電子ペン１により当該検査項目指定欄２１が選択されたと認識し、選択された検査項目指定欄２１に対応する検査項目を認識する。そして、処理手段３４は、認識した検査項目及び患者ＩＤを指定した要求信号Ｓｒをサーバ装置７に送信することで、サーバ装置７から添付紙６に印刷された検査結果を示す検査データを受信する。さらに、処理手段３４は、検査データをサーバ装置７から受信する前又は後に、貼付領域Ｒｔａｇを認識した場合、当該貼付領域Ｒｔａｇ内に、受信した検査データを表示する。
【００６８】
好適には、サーバ装置７は、要求信号Ｓｒに基づき、検査関連情報７９から検査データを抽出する場合、要求信号Ｓｒに含まれる検査項目及び患者ＩＤに加えて、検査日時も参照して対象の検査データを認識するとよい。例えば、サーバ装置７は、検査関連情報７９に含まれる検査データのうち、要求信号Ｓｒに含まれる検査項目及び患者ＩＤに該当し、かつ、検査日時が現在の日付又は当該日付に最も近い検査日に対応する検査データを抽出し、端末装置３へ送信する。このようにすることで、同一患者が別の日に同一の検査項目の検査を受けた場合であっても、サーバ装置７は、検査関連情報７９に記憶された検査日時に基づき、対象の検査データを適切に認識することができる。
【００６９】
なお、好適には、処理手段３４は、横切りストロークを記入する時刻と、検査項目指定欄２１を選択する時刻との時間差に制限を設けてもよい。この場合、例えば、処理手段３４は、認識した横切りストロークの記入情報に含まれる時刻情報が示す時刻と、検査項目指定欄２１をチェックするストロークの記入情報に含まれる時刻情報が示す時刻との最小時間差が所定時間（例えば１０秒）以上の場合には、検査項目指定欄２１が選択されていないと判断する。
【００７０】
また、処理手段３４は、上述の時間差の制限に加えて、又はこれに代えて、記入情報に含まれるペンＩＤに基づき、検査項目指定欄２１を指定する記入が行われたか否かを認識してもよい。この場合、検査項目指定欄２１を選択するための電子ペン１が、カルテ用紙５上に診断内容等を記入するための電子ペン１とは別に用意され、かつ、記憶手段３３は、これらの電子ペン１のペンＩＤを予め記憶しておく。そして、処理手段３４は、受信した記入情報に含まれるペンＩＤが検査項目指定欄２１を選択するための電子ペン１のペンＩＤである場合には、当該記入情報に基づくストロークと重なる位置にある検査項目指定欄２１に対応する検査項目が指定されたと認識する。なお、この場合、検査項目指定欄２１を選択するための電子ペン１は、「（２）貼付領域の認識方法」の第４の例で述べた横切りストロークを記入するための電子ペン１としてさらに用いられてもよい。
【００７１】
［本実施形態による作用効果］
以上説明した実施形態によれば、端末装置３は、電子ペン１から受信した記入情報に基づき、途切れストロークの内側の端点の位置を認識することで、添付紙６がカルテ用紙５に貼り付けられた位置を認識する。また、端末装置３は、電子ペン１から受信した記入情報に基づき、検査項目指定欄２１が選択されたことを認識し、選択された検査項目指定欄２１に対応する検査項目の検査データをサーバ装置７から取得する。これにより、端末装置３は、好適に、ドットパターンが印刷されていない添付紙６が貼り付けられたカルテ用紙５を電子化した電子カルテを生成し、ディスプレイ３０に表示することができる。
【００７２】
［本実施形態の変形例］
次に、本実施形態の変形例について説明する。以下の変形例は、任意に組み合わせて上述の実施形態に適用してもよい。
【００７３】
（変形例１）
図８〜図１０の説明では、処理手段３４は、カルテ用紙５に貼り付けられた添付紙６の四隅への横切りストロークが電子ペン１により記入された場合に、貼付領域Ｒｔａｇを認識した。しかし、本発明が適用可能な貼付領域Ｒｔａｇの指定方法はこれに限定されない。例えば、これに代えて、添付紙６の貼付予定位置に電子ペン１により医師が予め指定されたマーク（「位置指定マークＭｐ」とも呼ぶ。）を記入し、処理手段３４は、当該位置指定マークＭｐの記入により生成された記入情報に基づき貼付領域Ｒｔａｇを認識してもよい。ここで、位置指定マークＭｐは、例えば所定の文字、図形、記号又はこれらの結合からなる。
【００７４】
図１１（Ａ）は、位置指定マークＭｐが電子ペン１により記入された直後のカルテ用紙５の上面図を示す。また、図１１（Ｂ）は、位置指定マークＭｐに重ねて添付紙６が貼り付けられた後のカルテ用紙５の上面図を示す。ここでは、一例として、記憶手段３３は、十字を丸で囲ったマークを、貼付領域Ｒｔａｇを端末装置３が特定するための位置指定マークＭｐとして予め記憶しておく。
【００７５】
図１１（Ａ）に示すように、医師は、カルテ用紙５上で、添付紙６を貼り付ける予定の中心位置部分に、電子ペン１により、十字を丸で囲った位置指定マークＭｐを記入する。そして、図１１（Ｂ）に示すように、医師は、記入した位置指定マークＭｐを基準に、添付紙６をカルテ用紙５に貼り付ける。
【００７６】
一方、処理手段３４は、電子ペン１から送信された記入情報に基づき、電子ペン１の筆跡を再現したストロークをディスプレイ３０上に描くと共に、描画したストロークを対象に、記憶手段３３に記憶された位置指定マークＭｐが記入されたか否かの認識処理を行う。
【００７７】
図１１（Ｃ）は、処理手段３４が位置指定マークＭｐの記入を認識した場合に設定される貼付領域Ｒｔａｇを仮想的に示した電子カルテ５ａの表示例である。この場合、処理手段３４は、位置指定マークＭｐを中心とし、ディスプレイ３０の縦又は横と平行な辺を有する所定サイズの矩形領域を、貼付領域Ｒｔａｇとして認識する。この場合、処理手段３４は、貼付領域Ｒｔａｇの大きさを、［貼付領域の認識方法］のセクションの第５の例と同様にサーバ装置７から添付紙６の用紙サイズの情報を受信することで決定してもよく、予め定められた大きさに決定してもよい。
【００７８】
このように、処理手段３４は、記入情報に基づき、電子カルテ５ａに描画するストロークから位置指定マークＭｐを認識することによっても、好適に、貼付領域Ｒｔａｇを決定することができる。
【００７９】
なお、［貼付領域の認識方法］のセクションの第３の例と同様に、処理手段３４は、位置指定マークＭｐを記入する前又は／及び後に、位置指定開始欄が選択されていることを、位置指定マークＭｐを認識するための必要条件としてもよい。また、［貼付領域の認識方法］のセクションの第３の例と同様に、処理手段３４は、記入情報に含まれるペンＩＤに基づき、電子カルテ５ａに描画するストロークが、位置指定マークＭｐを構成するストロークであるか否かを判定してもよい。
【００８０】
（変形例２）
図８〜図９の説明では、処理手段３４は、検査項目指定欄２１が電子ペン１により選択されたことを検知することにより、添付紙６に対応する検査項目を認識した。しかし、本発明が適用可能な添付紙６に対応する検査項目の認識方法は、これに限定されない。例えば、これに代えて、添付紙６の貼付予定位置に電子ペン１により医師が予め指定されたマーク又は／及び文字（「検査項目指定マークＭｅ」とも呼ぶ。）を記入し、処理手段３４は、当該検査項目指定マークＭｅの記入により生成された記入情報に基づき添付紙６に対応する検査項目を認識してもよい。
【００８１】
図１２（Ａ）は、検査項目指定マークＭｅが電子ペン１により記入された直後のカルテ用紙５の上面図を示す。また、図１２（Ｂ）は、検査項目指定マークＭｅに重ねて添付紙６が貼り付けられた後のカルテ用紙５の上面図を示す。この例では、記憶手段３３は、文字「超」を破線で囲んだマークを、超音波検査を表す検査項目指定マークＭｅとして記憶している。また、記憶手段３３は、他の検索項目に対応する検査項目指定マークＭｅについてもそれぞれ対応する検査項目に関連付けて記憶している。
【００８２】
図１２（Ａ）に示すように、医師は、カルテ用紙５上で、添付紙６を貼り付ける予定の中心位置部分に、電子ペン１により、文字「超」を破線で囲んだ検査項目指定マークＭｅを記入する。そして、図１２（Ｂ）に示すように、医師は、記入した検査項目指定マークＭｅを基準に、添付紙６をカルテ用紙５に貼り付ける。
【００８３】
一方、処理手段３４は、電子ペン１から送信された記入情報に基づき、電子ペン１の筆跡を再現したストロークをディスプレイ３０上に描くと共に、描画したストロークを対象に、記憶手段３３に記憶されたいずれかの検査項目指定マークＭｅに該当するかを判定する認識処理を行う。そして、この例では、処理手段３４は、超音波検査を表す検査項目指定マークＭｅが記入されたことを認識する。
【００８４】
図１２（Ｃ）は、処理手段３４が検査項目指定マークＭｅを認識した場合の電子カルテ５ａの表示例である。この場合、処理手段３４は、貼付領域Ｒｔａｇに超音波検査の検査データを表示している。なお、図１２（Ｃ）の例では、処理手段３４は、検査項目指定マークＭｅを変形例１で述べた位置指定マークＭｐとみなし、検査項目指定マークＭｅに基づき貼付領域Ｒｔａｇを決定している。
【００８５】
このように、処理手段３４は、記入情報に基づき、電子カルテ５ａに描画するストロークから検査項目指定マークＭｅを認識することによっても、好適に、添付紙６に対応する検査項目を認識することができる。また、処理手段３４は、変形例１と組み合わせて、検査項目指定マークＭｅを位置指定マークＭｐとみなし、検査項目指定マークＭｅに基づき好適に貼付領域Ｒｔａｇを決定することができる。
【００８６】
なお、図１２の例に代えて、医師は、検査項目指定マークＭｅと重なる位置に添付紙６を貼り付けた後、図８〜図１０の例と同様に、横切りストロークを電子ペン１で記入することにより、貼付領域Ｒｔａｇを指定してもよい。この場合、処理手段３４は、［貼付領域の認識方法］のセクションで説明した処理を行うことで、貼付領域Ｒｔａｇを認識する。
【００８７】
また、好適には、処理手段３４は、横切りストロークを記入する時刻と、検査項目指定マークＭｅを記入する時刻との時間差に制限を設けてもよい。この場合、例えば、処理手段３４は、認識した横切りストロークの記入情報に含まれる時刻情報が示す時刻と、検査項目指定マークＭｅを構成するストロークの記入情報に含まれる時刻情報が示す時刻との最小時間差が所定時間以上の場合には、検査項目を認識しない。また、処理手段３４は、上述の時間差の制限に加えて、又はこれに代えて、記入情報に含まれるペンＩＤに基づき検査項目指定マークＭｅを構成するストロークが記入されたか否かを判定してもよい。
【００８８】
（変形例３）
上記の実施形態では、ディスプレイ３０に表示する対象となる書類としてカルテ用紙５を使用しているが、カルテ用紙５以外の各種の医療用の記入書類、例えば問診票などであって、ドットパターンが印刷されていない別紙が貼り付けられる可能性がある書類などにも本発明を好適に適用することができる。
【００８９】
（変形例４）
上記した実施形態では、電子ペン、ドットパターン（コード化パターン）、記入情報に、アノト方式を用いていたが、アノト方式を用いることに限定はされない。
【符号の説明】
【００９０】
１…電子ペン
３…端末装置
５…カルテ用紙
６…添付紙
５ａ…電子カルテ
７…サーバ装置
１００…カルテ表示システム
【図２】
2014191761.tif 000003
【図３】
2014191761.tif 000004
【図４】
2014191761.tif 000005
【図５】
2014191761.tif 000006
【図６】
2014191761.tif 000007
【図７】
2014191761.tif 000008
【図８】
2014191761.tif 000009
【図９】
2014191761.tif 000010
【図１０】
2014191761.tif 000011
【図１１】
2014191761.tif 000012
【図１２】
2014191761.tif 000013
【図１】
2014191761.tif 000014